(57)【要約】【課題】携帯端末の使用者が自動車に乗降する時間を考慮して、携帯端末と車載装置とを円滑に連携させる。【解決手段】携帯端末は、音を出力する第１の音出力部および第２の音出力部に接続可能な携帯端末であって、楽曲を再生する再生信号を生成して第１の音出力部へ出力する再生信号生成部と、楽曲の再生中に第１の音出力部からの音の出力が中断されたことを検出する中断検出部と、第２の音出力部からの音が出力可能となったことを検出する出力検出部と、中断検出部で中断が検出されてから出力検出部で出力可能が検出されるまでの時間を計測する時間計測部とを備え、再生信号生成部は、楽曲について、中断検出部で中断が検出された再生位置から時間計測部で計測された時間に対応して先に進めた再生位置から再生する再生信号を、第２の音出力部へ出力する。【選択図】図２
2020072430.tif 000002
【特許請求の範囲】
【請求項１】
音を出力する第１の音出力部および第２の音出力部に接続可能な携帯端末であって、
楽曲を再生する再生信号を生成して前記第１の音出力部へ出力する再生信号生成部と、
前記楽曲の再生中に前記第１の音出力部からの音の出力が中断されたことを検出する中断検出部と、
前記第２の音出力部からの音が出力可能となったことを検出する出力検出部と、
前記中断検出部で中断が検出されてから前記出力検出部で出力可能が検出されるまでの時間を計測する時間計測部と
を備え、
前記再生信号生成部は、前記楽曲について、前記中断検出部で中断が検出された再生位置から前記時間計測部で計測された時間に対応して先に進めた再生位置から再生する再生信号を、前記第２の音出力部へ出力する携帯端末。
【請求項２】
前記第１の音出力部は使用者に装着されるヘッドフォンおよびイヤホンの少なくとも一つであり、前記第２の音出力部は自動車に搭載されるカーオーディオおよびカーナビゲーションの少なくとも一つである請求項１に記載の携帯端末。
【請求項３】
前記中断検出部は、前記ヘッドフォンおよび前記イヤホンの前記少なくとも一方が前記使用者から外されたことにより、音が中断されたことを検出する請求項２に記載の携帯端末。
【請求項４】
前記中断検出部は、前記ヘッドフォンおよび前記イヤホンの前記少なくとも一方との接続が切れたことにより、音が中断されたことを検出する請求項２に記載の携帯端末。
【請求項５】
前記出力検出部は、前記カーオーディオおよび前記カーナビゲーションの前記少なくとも一方との接続が確立されたことにより、音が出力可能となったことを検出する請求項２から４のいずれか１項に記載の携帯端末。
【請求項６】
前記出力検出部は、前記自動車のドアの開閉動作がなされたことにより、音が出力可能となったことを検出する請求項２から４のいずれか１項に記載の携帯端末。
【請求項７】
前記第１の音出力部は自動車に搭載されるカーオーディオおよびカーナビゲーションの少なくとも一つであり、前記第２の音出力部は使用者に装着されるヘッドフォンおよびイヤホンの少なくとも一つである請求項１に記載の携帯端末。
【請求項８】
前記中断検出部は、前記自動車のドアの開閉動作がなされたことにより、音が中断されたことを検出する請求項７に記載の携帯端末。
【請求項９】
前記中断検出部は、前記カーオーディオおよびカーナビゲーションの前記少なくとも一方との接続が切れたことにより、音が中断されたことを検出する請求項７に記載の携帯端末。
【請求項１０】
前記出力検出部は、前記ヘッドフォンおよび前記イヤホンの前記少なくとも一方が前記使用者に装着されたことにより、音が出力可能となったことを検出する請求項７から９のいずれか１項に記載の携帯端末。
【請求項１１】
前記出力検出部は、前記ヘッドフォンおよび前記イヤホンの前記少なくとも一方との接続が確立されたことにより、音が出力可能となったことを検出する請求項７から９のいずれか１項に記載の携帯端末。
【請求項１２】
コンピュータに、
楽曲を再生する再生信号を生成して第１の音出力部へ出力する再生信号生成ステップと、
前記楽曲の再生中に前記第１の音出力部からの音の出力が中断されたことを検出する中断検出ステップと、
第２の音出力部からの音が出力可能となったことを検出する出力検出ステップと、
前記中断検出ステップで中断が検出されてから前記出力検出ステップで出力可能が検出されるまでの時間を計測する時間計測ステップと
を実行させ、
前記再生信号生成ステップは、前記楽曲について、前記中断検出ステップで中断が検出された再生位置から前記時間計測ステップで計測された時間に対応して先に進めた再生位置から再生する再生信号を、前記第２の音出力部へ出力するプログラム。
【発明の詳細な説明】
【技術分野】
【０００１】
本発明は、携帯端末およびプログラムに関する。
【０００２】
携帯端末と車載装置とを連携させて、携帯端末側で起動されたアプリケーションを車載装置側で利用することが行われている（特許文献１を参照）。
【先行技術文献】
【特許文献】
【０００３】
【特許文献１】特開２０１０−１９９７１８号公報
【発明の概要】
【発明が解決しようとする課題】
【０００４】
しかしながら、携帯端末の使用者が自動車に乗降する時間を考慮して、携帯端末と車載装置とを円滑に連携させることは行われていなかった。
【課題を解決するための手段】
【０００５】
本発明の一態様においては、携帯端末が提供される。上記携帯端末は、音を出力する第１の音出力部および第２の音出力部に接続可能な携帯端末であって、楽曲を再生する再生信号を生成して第１の音出力部へ出力する再生信号生成部と、楽曲の再生中に第１の音出力部からの音の出力が中断されたことを検出する中断検出部と、第２の音出力部からの音が出力可能となったことを検出する出力検出部と、中断検出部で中断が検出されてから出力検出部で出力可能が検出されるまでの時間を計測する時間計測部とを備え、再生信号生成部は、楽曲について、中断検出部で中断が検出された再生位置から時間計測部で計測された時間に対応して先に進めた再生位置から再生する再生信号を、第２の音出力部へ出力する。
【０００６】
本発明の一態様においては、プログラムが提供される。上記プログラムは、コンピュータに、楽曲を再生する再生信号を生成して第１の音出力部へ出力する再生信号生成ステップと、楽曲の再生中に第１の音出力部からの音の出力が中断されたことを検出する中断検出ステップと、第２の音出力部からの音が出力可能となったことを検出する出力検出ステップと、中断検出ステップで中断が検出されてから出力検出ステップで出力可能が検出されるまでの時間を計測する時間計測ステップとを実行させ、再生信号生成ステップは、楽曲について、中断検出ステップで中断が検出された再生位置から時間計測ステップで計測された時間に対応して先に進めた再生位置から再生する再生信号を、第２の音出力部へ出力する。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】第１の実施形態における携帯端末１０の動作環境の一例を示す。
【図２】第１の実施形態における携帯端末１０の機能ブロック図の一例を示す。
【図３】第１の実施形態における車載装置３０の機能ブロック図の一例を示す。
【図４】第１の実施形態における楽曲の再生タイムラインの一例を示す。
【図５】第１の実施形態における楽曲の再生タイムラインの他の例を示す。
【図６】第１の実施形態における携帯端末１０における処理を示すフローチャートである。
【図７】第１の実施形態における携帯端末１０の設定画面の一例を示す。
【図８】第１の実施形態における携帯端末１０の設定画面の一例を示す。
【図９】第２の実施形態における携帯端末１０の動作環境の一例を示す。
【図１０】第２の実施形態における車載装置３０の機能ブロック図の一例を示す。
【図１１】第２の実施形態における携帯端末１０における処理を示すフローチャートである。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
［第１の実施形態］
図１は、第１の実施形態における携帯端末１０の動作環境の一例を示す。図１には、使用者１００が自動車１０１に乗り込む場面が示されている。使用者１００は、携帯端末１０を所持しており、携帯端末１０に接続された第１の音出力部１１０の一例としてのイヤホンを耳に装着することによって、楽曲を聴いている。自動車１０１には、第２の音出力部１２０を含む車載装置３０の一例としてのカーオーディオが搭載されている。
【００１１】
携帯端末１０に接続されたイヤホンによって楽曲を聴いている使用者１００が自動車１０１に乗り込む際に、カーオーディオでも継続して同じ楽曲を聴きたい場合がある。この場合、使用者１００はイヤホンを外してから自動車１０１のカーオーディオを操作することにより、カーオーディオから楽曲を再生する。
【００１２】
ここで、イヤーワームと呼ばれる現象によって、イヤホンを外した際に携帯端末１０から流れていた楽曲は、イヤホンを外した後にも、使用者１００の楽曲の記憶に基づいて使用者１００の頭の中（脳内）でも継続して流れ続けている場合があり、カーオーディオから楽曲の再生が再開される場合に、使用者１００の頭の中で流れ続けている部分の続きから楽曲が再生されると、楽曲の連続性が感じられ、使用者１００にとっては快適である。
【００１３】
第１の実施形態における携帯端末１０は、上記のように楽曲の連続性が感じられる態様で、携帯端末１０における楽曲の再生とカーオーディオにおける楽曲の再生とを自動的に連携することを目的とする。
【００１４】
図２は、第１の実施形態における携帯端末１０の機能ブロック図の一例を示す。図２において、携帯端末１０は、第１の音出力部１１０及び第２の音出力部１２０と共に示されている。第１の実施形態において、携帯端末１０は、入力部１１と、記憶部１２と、出力部１３と、ネットワーク通信部１４と、短距離通信部１５と、中断検出部１６と、出力検出部１７と、時間計測部１８と、再生信号生成部１９と、を備える。出力部１３は、表示部１３ａと、音声出力部１３ｂと、を備える。携帯端末１０は、音を出力する第１の音出力部１１０と、第２の音出力部１２０とに接続可能である。
【００１５】
携帯端末１０は、持ち運び可能な電子機器である。携帯端末１０は、たとえば、スマートフォンと呼ばれる多機能携帯電話を用いることができる。携帯端末１０は、携帯電話端末やタブレットＰＣ（Ｐｅｒｓｏｎａｌ  Ｃｏｍｐｕｔｅｒ）、ノートＰＣ、電子ブックリーダー、ＰＤＡ（Ｐｅｒｓｏｎａｌ  Ｄｉｇｉｔａｌ  Ａｓｓｉｓｔａｎｔ）など、携帯可能な他の種類の情報端末であってもよい。
【００１６】
第１の実施形態のように、使用者１００が自動車１０１に乗り込む場面において、第１の音出力部１１０は使用者１００に装着されるイヤホンであり、第２の音出力部１２０は自動車１０１に搭載される車載装置３０の一部である。車載装置３０は、例えば、カーオーディオまたはカーナビゲーションである。第１の実施形態において、車載装置３０はカーオーディオであるものとして説明する。第１の音出力部１１０はヘッドフォンであってもよい。
【００１７】
イヤホンは、有線通信形式のものであってもよく、無線通信形式のものであってもよく、有線通信形式および無線通信形式の双方に対応できるものであってもよい。
【００１８】
入力部１１は、ハードキー、ソフトキー、マイクロフォン、又は、タッチスクリーンであってよく、他の入力装置を含んでもよい。入力部１１には、携帯端末１０の使用者１００による指令が入力される。入力された指令は、再生信号生成部１９に送信される。
【００１９】
出力部１３は、表示部１３ａと、音声出力部１３ｂとを含む。表示部１３ａは、画像や文字を表示するディスプレイであってよく、他の表示装置を含んでもよい。音声出力部１３ｂは、楽曲や声を出力するスピーカであってよく、他の音声出力装置を含んでもよい。出力部１３には、再生信号生成部１９から楽曲に関するデータが送信される。
【００２０】
記憶部１２は、楽曲データを記憶する。楽曲データには、楽曲の再生に伴い再生される映像データや、楽曲の音データが含まれる。楽曲データは、例えば、ＭＰ３（ＭＰＥＧ−１ Ａｕｄｉｏ Ｌａｙｅｒ−３）形式の音声データであってよく、ＡＡＣ （Ａｄｖａｎｃｅｄ Ａｕｄｉｏ Ｃｏｄｉｎｇ）形式の音声データであってよく、Ｖｏｒｂｉｓ形式の音声データであってよい。記憶部１２は、携帯端末１０にインストールされた各種のアプリケーションプログラムを記憶してもよい。記憶部１２は、楽曲に関するデータを再生信号生成部１９に送信する。
【００２１】
ネットワーク通信部１４は、所定のネットワークインターフェースであり、基地局を介してネットワークに通信接続され、楽曲データ、アプリケーションデータ等を管理サーバ装置からダウンロードする。ネットワーク通信部１４は、ダウンロードしたデータを再生信号生成部１９に送信する。
【００２２】
短距離通信部１５は、例えばブルートゥース（登録商標）技術のような無線通信技術、又は、ＨＤＭＩ（登録商標）（Ｈｉｇｈ−Ｄｅｆｉｎｉｔｉｏｎ Ｍｕｌｔｉｍｅｄｉａ Ｉｎｔｅｒｆａｃｅ）、ＵＳＢ（Ｕｎｉｖｅｒｓａｌ Ｓｅｒｉａｌ Ｂｕｓ）などの有線通信技術を使用することができる。携帯端末１０は、短距離通信部１５を介して車載装置３０と通信可能である。ブルートゥース通信のプロファイルとしては、Ａ２ＤＰ（Ａｄｖａｎｃｅｄ Ａｕｄｉｏ Ｄｉｓｔｒｉｂｕｔｉｏｎ Ｐｒｏｆｉｌｅ）を用いることができる。
【００２３】
中断検出部１６は、楽曲の再生中に第１の音出力部１１０からの音の出力が中断されたことを検出する。第１の実施形態では、中断検出部１６は、イヤホンが使用者１００から外されたことにより、第１の音出力部１１０からの音の出力が中断されたことを検出する。
【００２４】
この場合、イヤホンは、光センサを有しており、イヤホンが使用者１００から外されたことを光センサにより取得された光信号の光強度により検出してもよい。また、イヤホンは、反響音を検出する音センサを有しており、イヤホンが使用者１００から取り外されたことを音センサにより取得された反響音の信号強度により検出してもよい。
【００２５】
中断検出部１６は、第１の音出力部１１０からの音の出力が中断されたことを検出すると、音の出力が中断された旨の情報である中断情報を時間計測部１８に送信する。中断情報は、再生信号生成部１９にも送信される。
【００２６】
出力検出部１７は、第２の音出力部１２０からの音が出力可能となったことを検出する。第１の実施形態では、出力検出部１７は、携帯端末１０とカーオーディオとの接続が確立されたことにより、音が出力可能となったことを検出する。この場合、出力検出部１７は、携帯端末１０の短距離通信部１５から、携帯端末１０の短距離通信部１５と、車載装置３０の短距離通信部３５との間でブルートゥース通信が確立された旨の情報を受け取ることにより、音が出力可能になったことを検出する。
【００２７】
出力検出部１７は、第２の音出力部１２０からの音が出力可能となったことを検出すると、第２の音出力部１２０から音が出力可能となった旨の情報である出力可能情報を時間計測部１８に送信する。
【００２８】
時間計測部１８は、中断検出部１６で中断が検出されてから出力検出部１７で出力可能が検出されるまでの時間である中断時間を計測する。第１の実施形態において、時間計測部１８は、中断検出部１６から中断情報を受け取ると、当該情報を受け取った時刻を中断時間開始時刻として記録し、中断時間の計測を開始する。
【００２９】
時間計測部１８は、出力検出部１７から出力可能情報を受け取ると、当該情報を受け取った時刻を中断時間終了時刻として記録し、中断時間の計測を終了し、中断時間を確定する。時間計測部１８は、確定した中断時間を出力可能情報と共に再生信号生成部１９に送信する。
【００３０】
再生信号生成部１９は、ネットワーク通信部１４又は記憶部１２から受け取った楽曲データに基づいて、楽曲を再生する再生信号を生成する。ネットワーク通信部１４から受け取った楽曲データに基づいて楽曲を再生する再生信号を生成する場合はオンライン再生であり、記憶部１２から受け取った楽曲データに基づいて楽曲を再生する再生信号を生成する場合はオフライン再生である。再生信号生成部１９は、生成した再生信号を第１の音出力部１１０としてのイヤホンへ出力する。
【００３１】
再生信号生成部１９は、中断検出部１６から中断情報を受け取ると、再生信号の生成及びイヤホンへの再生信号の出力を停止し、中断検出部１６で中断が検出された再生位置を記憶する。
【００３２】
再生信号生成部１９は、時間計測部１８から中断時間および出力可能情報を受け取ると、中断検出部１６で中断が検出された再生位置から時間計測部１８で計測された中断時間に対応して先に進めた再生位置から再生する再生信号を、第２の音出力部１２０へ出力する。
【００３３】
第１の実施形態では、再生信号生成部１９は、時間計測部１８から中断時間を受け取ると、中断時間が閾値時間以内であるかを判断する。閾値時間は、例えば、３０秒である。中断時間が閾値時間以内である場合、再生信号生成部１９は、中断された再生位置から中断時間分進めた再生位置から再生する再生信号を、第２の音出力部１２０に送信する。中断時間が閾値時間以内でない場合、再生信号生成部１９は、中断された再生位置から再生する再生信号を、第２の音出力部１２０に送信する。
【００３４】
第１の実施形態では、再生信号生成部１９は、中断情報を受け取るよりも前に出力可能情報を受け取った場合でも、第１の音出力部１１０からの楽曲の出力を中止せず、中断情報を受け取るまでは第１の音出力部１１０からの出力を継続する。
【００３５】
図３は、第１の実施形態における車載装置３０の機能ブロック図の一例を示す。図３において、車載装置３０は、携帯端末１０と共に示されている。第１の実施形態において、車載装置３０は、入力部３１と、記憶部３２と、出力部３３と、ネットワーク通信部３４と、短距離通信部３５と、再生信号生成部３６と、を備える。出力部３３は、表示部３３ａと、音声出力部３３ｂと、を備える。車載装置３０は、カーオーディオであってよく、カーナビゲーションであってよく、他の音声出力装置であってもよい。
【００３６】
入力部３１は、ハードキー、ソフトキー、マイクロフォン、又は、タッチスクリーンであってよく、他の入力装置を含んでもよい。入力部３１には、自動車１０１に乗る使用者１００による指令が入力される。入力された指令は、再生信号生成部３６に送信される。
【００３７】
出力部３３は、表示部３３ａと、音声出力部３３ｂとを含む。表示部３３ａは、画像や文字を表示するディスプレイであってよく、他の表示装置を含んでもよい。音声出力部３３ｂは、音楽や声を出力するスピーカであってよく、他の音声出力装置を含んでもよい。出力部３３には、再生信号生成部３６から楽曲に関する情報が送信される。
【００３８】
記憶部３２は、楽曲データを記憶する。楽曲データには、楽曲の再生に伴い再生される映像データや、楽曲の音データが含まれる。記憶部３２は、車載装置３０にインストールされた各種のアプリケーションプログラムを記憶してもよい。車載装置３０がカーナビゲーションである場合には、記憶部３２は地図情報を記憶してもよい。記憶部３２は、楽曲データを再生信号生成部３６に送信する。
【００３９】
ネットワーク通信部３４は、所定のネットワークインターフェースであり、基地局を介してネットワークに通信接続され、楽曲データ、アプリケーションデータ等を管理サーバ装置からダウンロードする。ネットワーク通信部３４は、ダウンロードしたデータを再生信号生成部３６に送信する。
【００４０】
短距離通信部３５は、例えばブルートゥース（登録商標）技術のような無線通信技術、又は、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ＵＳＢ（Ｕｎｉｖｅｒｓａｌ  Ｓｅｒｉａｌ  Ｂｕｓ）などの有線通信技術を使用することができる。車載装置３０は、短距離通信部３５を介して携帯端末１０と通信可能である。短距離通信部３５には、携帯端末１０から楽曲データが送信される。
【００４１】
再生信号生成部３６は、携帯端末１０から短距離通信部３５を介して受け取った楽曲データに基づいて楽曲を再生する再生信号を生成する。再生信号生成部３６は、生成した再生信号を出力部３３へ出力する。これにより、携帯端末１０から送信された楽曲データに基づいて、車載装置３０において楽曲を再生することができる。
【００４２】
なお、第１の実施形態においては、出力部３３と、短距離通信部３５と、再生信号生成部３６との組み合わせを第２の音出力部１２０として記載している。
【００４３】
なお、携帯端末１０および車載装置３０は、一般的な構成の情報処理装置において、携帯端末１０および車載装置３０の各部の動作を規定したソフトウエア又はプログラムを起動することにより実現されてよい。
【００４４】
携帯端末１０および車載装置３０として用いられる情報処理装置は、ＣＰＵ（Ｃｅｎｔｒａｌ  Ｐｒｏｃｅｓｓｉｎｇ  Ｕｎｉｔ）等のプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、通信インターフェースなどを有するデータ処理装置と、タッチパネル、マイク、ＧＰＳ（Ｇｌｏｂａｌ  Ｐｏｓｉｔｉｏｎｉｎｇ  Ｓｙｓｔｅｍ）情報取得装置、加速度センサ、ジャイロセンサなどの入力装置と、表示装置、スピーカ、振動装置などの出力装置と、メモリ、ＨＤＤ（Ｈａｒｄ  Ｄｉｓｋ  Ｄｒｉｖｅ）などの記憶装置と、を備えてよい。
【００４５】
データ処理装置又は記憶装置は、上記のソフトウエア又はプログラムを記憶してよい。上記のソフトウエア又はプログラムは、プロセッサによって実行されることにより、上記の情報処理装置に、当該命令又はプログラムによって規定された動作を実行させる。
【００４６】
図４は、第１の実施形態における楽曲の再生タイムラインの一例を示す。図４には、楽曲の現在の再生位置が段階によって変化していく様子の一例が示されている。一例として、楽曲は２４０秒の長さであるとする。図４上段には、第１の音出力部１１０としてのイヤホンにより楽曲の出力が開始された段階が示されている。図４上段に示すように、イヤホンにより楽曲の出力が開始された段階では、楽曲の再生位置は楽曲の先頭である０秒の位置にある。
【００４７】
図４中段には、中断検出部１６により楽曲の出力の中断が検出された段階が示されている。図４中段に示すように、楽曲の再生が進んでおり、現在の楽曲の再生位置は６０秒の位置にある。この時点で中断が検出されたため、再生信号生成部１９は、再生信号の生成及び送信を一旦停止する。図４に示すように、中断時間は２０秒であり、閾値時間（例えば、３０秒）以下であるものとする。
【００４８】
図４下段には、第２の音出力部１２０としてのカーオーディオから楽曲の出力が再開された段階が示されている。図４下段に示すように、中断時間が２０秒であり、閾値時間以下である場合、カーオーディオで楽曲の出力が再開される場合、再生信号生成部１９により楽曲の再生位置が中断時間である２０秒進められ、現在の再生位置は８０秒の位置にある。再生信号生成部１９は、８０秒の再生位置から楽曲の再生信号の生成及び送信を再開する。
【００４９】
図５は、第１の実施形態における楽曲の再生タイムラインの他の例を示す。図５には、楽曲の現在の再生位置が段階によって変化していく様子の他の例が示されている。図４とは異なり、図５では中断時間が１２０秒である。図５上段には、第１の音出力部１１０としてのイヤホンにより音の出力が開始された段階が示されている。図５上段に示すように、イヤホンにより音の出力が開始された段階では、楽曲の再生位置は楽曲の先頭である０秒の位置にある。
【００５０】
図５中段には、中断検出部１６により楽曲の出力の中断が検出された段階が示されている。図５中段に示すように、楽曲の再生が進んでおり、現在の楽曲の再生位置は６０秒の位置にある。ここで中断が検出されたため、再生信号生成部１９は、再生信号の生成及び送信を一旦停止する。図５に示すように、中断時間は１２０秒であり、閾値時間（例えば、３０秒）よりも長いものとする。
【００５１】
図５下段には、第２の音出力部１２０としてのカーオーディオから楽曲の出力が再開された段階が示されている。図５に示すように、中断時間が１２０秒と閾値時間より長い場合には、中断時間である１２０秒進めた１８０秒の再生位置から楽曲の再生を再開すると、かえって使用者１００に違和感を与える場合がある。したがって、第１の実施形態ではカーオーディオから楽曲の出力が再開される際、再生信号生成部１９により楽曲の再生位置は中断時間分進められることはなく、現在の再生位置は６０秒の位置にある。再生信号生成部１９は、６０秒の再生位置から楽曲の再生信号の生成及び送信を再開する。
【００５２】
図６は、第１の実施形態における携帯端末１０における処理を示すフローチャートである。図６は、使用者１００が自動車１０１に乗り込む場合の携帯端末１０における処理を示している。
【００５３】
楽曲は、第１の音出力部１１０としてのイヤホンから出力されている（Ｓ０１）。中断検出部１６によって、イヤホンが人から外されたことが検出されると（Ｓ０２：Ｙｅｓ）、中断検出部１６はイヤホンからの楽曲の出力が中断された旨の情報である中断情報を時間計測部１８に送信し、時間計測部１８は中断時間の計測をスタートする（Ｓ０３）。中断情報は、再生信号生成部１９にも送信される。
【００５４】
携帯端末１０の短距離通信部１５と、カーオーディオの第２の音出力部１２０の短距離通信部３５との接続が確立され、出力検出部１７がカーオーディオから楽曲を出力可能となったことを検出すると（Ｓ０４：Ｙｅｓ）、出力検出部１７は第２の音出力部１２０から楽曲が出力可能となった旨の情報である出力可能情報を時間計測部１８に送信し、時間計測部１８は中断時間を確定する（Ｓ０５）。中断時間は、時間計測部１８から再生信号生成部１９に送信される。
【００５５】
再生信号生成部１９は、中断時間が閾値時間以内であるかを判断する（Ｓ０６）。中断時間が閾値時間以内である場合（Ｓ０６：Ｙｅｓ）、図４に示すように、再生信号生成部１９は、楽曲が中断された再生位置から中断時間分先に進めた再生位置から再生する再生信号を、短距離通信部１５を介して第２の音出力部１２０としてのカーオーディオに送信する（Ｓ０７）。
【００５６】
中断時間が閾値時間以内でない場合（Ｓ０６：Ｎｏ）、図５に示すように、再生信号生成部１９は、楽曲が中断された再生位置から再生する再生信号を、短距離通信部１５を介してカーオーディオに送信する（Ｓ０８）。中断時間が閾値時間以内でない場合（Ｓ０６：Ｎｏ）、再生信号生成部１９は、上記処理に代えて、楽曲の先頭の位置から再生する再生信号をカーオーディオに送信してもよい。
【００５７】
カーオーディオは、再生信号生成部１９から受け取った再生位置を含む再生信号に基づいて、楽曲の再生を再開する（Ｓ０９）。
【００５８】
図７は、第１の実施形態における携帯端末１０の設定画面の一例を示す。携帯端末１０における楽曲の再生と、カーオーディオにおける楽曲の再生との連携を実施する場合には、携帯端末１０にて再生の連携についての設定を行う。図７において、「スマート連携する」を選択した場合には、携帯端末１０における楽曲の再生と、カーオーディオにおける楽曲の再生とを連携させる設定とすることができる。
【００５９】
具体的には、使用者１００が自動車１０１に乗り込む場合においては、自動車１０１に乗り込んで機器同士の接続がされることにより、使用者１００が携帯端末１０に接続されたイヤホンから聴いていた楽曲が、カーオーディオから自動的に出力され、カーオーディオにおいて同じ楽曲を継続して聴くことが可能となる。
【００６０】
図７において、「スマート連携しない」を選択した場合には、携帯端末１０における楽曲の再生と、カーオーディオにおける楽曲の再生とは連携せず、使用者１００が自動車１０１に乗り込んでも楽曲は自動的にカーオーディオから出力されない。この場合には、前回の電源オフ時の設定が優先され、例えば、前回の電源オフ時にカーオーディオからＦＭラジオが流れていた場合には、今回も同様にＦＭラジオが流れる。
【００６１】
図８は、図７における携帯端末１０における設定画面の続きの一例を示す。図７において、「スマート連携する」を選択した場合には、その続きの設定画面として図８の設定画面が表示される。図８において、「スマート再生モード」を選択した場合には、中断時間が閾値時間以内である場合には、中断時間分進めた再生位置から楽曲の再生が再開される設定となる。
【００６２】
図８において、「中断位置から再生モード」を選択した場合には、例えば、使用者１００が自動車１０１に乗り込む場合で中断時間が発生したとしても、再生位置を中断時間分進めることはなく、楽曲は中断された再生位置から再生される設定となる。
【００６３】
図８において、「曲の先頭から再生モード」を選択した場合には、例えば、使用者１００が自動車１０１に乗り込む場面で中断時間が発生した場合には、楽曲の先頭に戻って再生が再開される。
【００６４】
第１の実施形態に係る携帯端末１０によれば、使用者１００が自動車１０１に乗り込む場面において、携帯端末１０における楽曲の再生とカーオーディオにおける楽曲の再生とを連携させることができる。これにより、使用者１００は楽曲の連続性が感じられる快適な態様で継続して楽曲を聴くことができる。
【００６５】
［変形例１］
上記第１の実施形態では、中断検出部１６は、イヤホンが使用者１００から外されたことにより、第１の音出力部１１０からの音の出力が中断されたことを検出した。しかしながら、中断検出部１６は、携帯端末１０とイヤホンとの接続が切れたことにより、第１の音出力部１１０からの音の出力が中断されたことを検出してもよい。
【００６６】
この場合、携帯端末１０は、イヤホンのプラグ検出用回路を有しており、イヤホンのプラグが携帯端末１０に挿入されたときと、プラグが取り外されたときの電気抵抗の違いにより、イヤホンとの接続が切れたことを検出してもよい。
【００６７】
［変形例２］
上記第１の実施形態では、出力検出部１７は、カーオーディオとの接続が確立されたことにより、音が出力可能となったことを検出した。しかしながら、出力検出部１７は、自動車１０１のドアの開閉動作がなされたことにより、音が出力可能となったことを検出してもよい。
【００６８】
この場合、ドアの開閉動作は、ドアを開ける動作およびドアを閉める動作の少なくとも一方であってよい。この場合、自動車１０１のドアの開閉を検知するセンサが自動車１０１のドアに取り付けられており、携帯端末１０の短距離通信部１５が上記センサからドアの開閉があった旨の情報を受信することによって、音が出力可能になったことを検出してもよい。
【００６９】
［変形例３］
上記第１の実施形態では、再生信号生成部１９は、中断時間が閾値時間以内でない場合、中断された再生位置から再生する再生信号を、第２の音出力部１２０に送信した。しかしながら、中断時間が閾値時間以内でない場合、再生信号生成部１９は、上記処理に代えて、楽曲の先頭の位置から再生する再生信号を第２の音出力部１２０に送信してもよい。
【００７０】
［変形例４］
上記第１の実施形態では、再生信号生成部１９は、中断情報を受け取るよりも前に出力可能情報を受け取った場合でも、イヤホンからの楽曲の出力を中止せず、中断情報を受け取るまではイヤホンからの出力を継続した。しかしながら、再生信号生成部１９は、中断情報を受け取るよりも前に出力可能情報を受け取った場合に、イヤホンからの出力を中止して、カーオーディオからの楽曲の出力を開始してもよい。
【００７１】
［変形例５］
上記第１の実施形態では、一例として、中断時間が予め定められた時間以上の場合には中断した位置から再生することについて説明した。これに代えて、中断時間が中断後の楽曲の残り時間より長いか否かで再生位置を変えてもよい。この場合、中断時間が楽曲の残り時間よりも長い場合は楽曲の先頭から再生し、中断時間が楽曲の残り時間よりも短い場合は中断時間進めた位置から再生してもよい。
【００７２】
［第２の実施形態］
図９は、第２の実施形態における携帯端末１０の動作環境の一例を示す。図９には、使用者１００が自動車１０１から降りる場面が示されている。上記第１の実施形態では、使用者１００が自動車１０１に乗り込む場面で、携帯端末１０における楽曲の再生と車載装置３０における楽曲の再生とを連携することを目的とした。これに対して、第２の実施形態では、使用者１００が自動車１０１から降りる場面で、車載装置３０における楽曲の再生と携帯端末１０における楽曲の再生とを連携することを目的とする。
【００７３】
自動車１０１を運転している使用者１００が、自動車１０１の車載装置３０の一例としてのカーオーディオで楽曲を聴いている場合、自動車１０１を降りた後に、携帯端末１０からも継続して同じ曲を聴きたい場合がある。この場合、使用者１００は自動車１０１のエンジンを切って駐車してから、自動車１０１を降りて、イヤホンを装着して携帯端末１０を操作して同じ楽曲を再生する。
【００７４】
この場合においても、使用者１００が自動車１０１から降りた後、イヤホンを装着する前の段階で、使用者１００の楽曲の記憶に基づいて使用者１００の頭の中（脳内）で楽曲が継続して流れ続けている場合があり、イヤホンから楽曲の再生が再開される場合に、使用者１００の頭の中で流れ続けている部分の続きから楽曲が再生されると、楽曲の連続性が感じられ、使用者１００にとっては快適である。
【００７５】
第２の実施形態における携帯端末１０は、上記のように使用者１００が自動車１０１から降りる場面において、楽曲の連続性が感じられる態様で、携帯端末１０における楽曲の再生とカーオーディオにおける楽曲の再生とを自動的に連携することを目的とする。
【００７６】
再び図２を参照して、第２の実施形態に係る携帯端末１０の機能について説明する。以下では、第１の実施形態に係る携帯端末１０と異なる機能についてのみ説明し、第１の実施形態に係る携帯端末１０と同一の機能を有する構成については、その説明を省略する。
【００７７】
第２の実施形態のように、使用者１００が自動車１０１から降りる場面において、第１の音出力部１１０は自動車１０１に搭載される車載装置３０の一部であり、第２の音出力部１２０は使用者１００に装着されるイヤホンである。車載装置３０はカーオーディオ又はカーナビゲーションである。第２の実施形態において、車載装置３０はカーオーディオであるものとして説明する。第２の音出力部１２０はヘッドフォンであってもよい。
【００７８】
第２の実施形態では、中断検出部１６は、自動車１０１のドアの開閉動作がなされたことにより、音が中断されたことを検出する。ドアの開閉動作は、ドアを開ける動作およびドアを閉める動作の少なくとも一方であってよい。この場合、自動車１０１のドアの開閉を検知するセンサが自動車１０１のドアに取り付けられており、携帯端末１０の短距離通信部１５が上記センサからドアの開閉があった旨の情報を受信することによって、音が中断されたことを検出する。
【００７９】
第２の実施形態では、出力検出部１７は、イヤホンが使用者１００に装着されたことにより、音が出力可能となったことを検出する。この場合、イヤホンは、光センサを有しており、イヤホンが使用者１００に装着されたことを光センサにより取得された光信号の光強度により検出してもよい。また、イヤホンは、反響音を検出する音センサを有しており、イヤホンが使用者１００に装着されたことを音センサにより取得された反響音の信号強度により検出してもよい。
【００８０】
図１０は、第２の実施形態における車載装置３０の機能ブロック図の一例を示す。第２の実施形態における車載装置３０では、再生信号生成部３６、短距離通信部３５、および出力部３３を含む構成が第１の音出力部１１０である点が第１の実施形態における車載装置３０と異なる。他の構成については、第２の実施形態における車載装置３０は、第１の実施形態における車載装置３０と同じである。
【００８１】
図１１は、第２の実施形態における携帯端末１０における処理を示すフローチャートである。図１１は、使用者１００が自動車１０１から降りる場合の携帯端末１０における処理を示している。
【００８２】
楽曲は、第１の音出力部１１０としてのカーオーディオから出力されている（Ｓ１１）。中断検出部１６によって、自動車１０１のドアの開閉によりカーオーディオからの楽曲の出力が中断されたことが検出されると（Ｓ１２：Ｙｅｓ）、中断検出部１６はカーオーディオからの楽曲の出力が中断された旨の情報である中断情報を時間計測部１８に送信し、時間計測部１８は中断時間の計測をスタートする（Ｓ０３）。中断情報は、再生信号生成部１９にも送信される。
【００８３】
イヤホンが使用者１００に装着されたことにより、第２の音出力部１２０としてのイヤホンから楽曲を出力可能となったことを出力検出部１７が検出すると（Ｓ１４：Ｙｅｓ）、出力検出部１７はイヤホンから音が出力可能となった旨の情報である出力可能情報を時間計測部１８に送信し、時間計測部１８は中断時間を確定する（Ｓ１５）。中断時間は、時間計測部１８から再生信号生成部１９に送信される。
【００８４】
再生信号生成部１９は、中断時間が閾値時間以内であるかを判断する（Ｓ１６）。中断時間が閾値時間以内である場合（Ｓ１６：Ｙｅｓ）、再生信号生成部１９は、楽曲が中断された位置から中断時間分先に進めた再生位置から再生する再生信号を、第２の音出力部１２０としてのイヤホンに送信する（Ｓ１７）。
【００８５】
中断時間が閾値時間以内でない場合（Ｓ１６：Ｎｏ）、再生信号生成部１９は、楽曲が中断された位置から再生する再生信号を、第２の音出力部１２０としてのイヤホンに送信する（Ｓ１８）。中断時間が閾値時間以内でない場合（Ｓ１６：Ｎｏ）、再生信号生成部１９は、上記処理に代えて、楽曲の先頭の位置から再生する再生信号をイヤホンに送信してもよい。
【００８６】
再生信号生成部１９から受け取った再生位置を含む再生信号に基づいて、第２の音出力部１２０としてのイヤホンから楽曲の再生が再開される（Ｓ１９）。
【００８７】
第２の実施形態に係る携帯端末１０によれば、使用者１００が自動車１０１から降りる場面において、カーオーディオにおける楽曲の再生と携帯端末１０における楽曲の再生とを連携させることができる。これにより、使用者１００は楽曲の連続性が感じられる快適な態様で継続して楽曲を聴くことができる。
【００８８】
［変形例１］
上記第２の実施形態では、中断検出部１６は、自動車１０１のドアの開閉動作がなされたことにより、音が中断されたことを検出した。しかしながら、中断検出部１６は、カーオーディオとの接続が切れたことにより、音が中断されたことを検出してもよい。この場合、中断検出部１６が、携帯端末１０の短距離通信部１５と車載装置３０の短距離通信部３５との接続が切れた旨の情報を携帯端末１０の短距離通信部１５から受信することにより、音が中断されたことを検出することができる。
【００８９】
［変形例２］
上記第２の実施形態では、出力検出部１７は、イヤホンが使用者１００に装着されたことにより、音が出力可能となったことを検出した。しかしながら、出力検出部１７は、携帯端末１０とイヤホンとの接続が確立されたことにより、音が出力可能となったことを検出してもよい。
【００９０】
この場合、携帯端末１０は、イヤホンのプラグ検出用回路を有しており、イヤホンのプラグが携帯端末１０に挿入されたときと、プラグが取り外されたときの電気抵抗の違いにより、イヤホンとの接続が確立されたことを検出してもよい。
【００９１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９２】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００９３】
１０  携帯端末、  １１  入力部、  １２  記憶部、  １３  出力部、  １３ａ  表示部、  １３ｂ  音声出力部、  １４  ネットワーク通信部、  １５  短距離通信部、  １６  中断検出部、  １７  出力検出部、  １８  時間計測部、  １９  再生信号生成部、  ３０  車載装置、  ３１  入力部、  ３２  記憶部、  ３３  出力部、  ３３ａ  表示部、  ３３ｂ  音声出力部、  ３４  ネットワーク通信部、  ３５  短距離通信部、  ３６  再生信号生成部、  １００  使用者、  １０１  自動車、  １１０  第１の音出力部、  １２０  第２の音出力部
【図１】
2020072430.tif 000003
【図２】
2020072430.tif 000004
【図３】
2020072430.tif 000005
【図４】
2020072430.tif 000006
【図５】
2020072430.tif 000007
【図６】
2020072430.tif 000008
【図７】
2020072430.tif 000009
【図８】
2020072430.tif 000010
【図９】
2020072430.tif 000011
【図１０】
2020072430.tif 000012
【図１１】
2020072430.tif 000013